【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】
製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、
文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、
上記印刷ドラムに対する上記押圧手段の印圧を変化させる印圧可変手段と、
上記印刷モード設定手段による上記写真印刷モード設定時には上記文字・写真印刷モード設定時よりも、該文字・写真印刷モード設定時には上記文字印刷モード設定時よりも、それぞれ上記印圧が低くなるように上記印圧可変手段を制御する印刷モード別印圧制御手段と、
を有することを特徴とする印刷装置。
【請求項２】
製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、
文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、
上記印刷ドラムに対する上記押圧手段の印圧を変化させる印圧可変手段と、
上記印刷モード設定手段による上記写真印刷モード設定時には上記文字印刷モード設定時よりも、上記印圧が低くなるように上記印圧可変手段を制御する印刷モード別印圧制御手段と、
を有することを特徴とする印刷装置。
【請求項３】
請求項１または２記載の印刷装置において、
インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、
上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする印刷装置。
【請求項４】
請求項１、２または３記載の印刷装置において、
上記印刷装置への電力の供給を断接する電力断接手段と、
上記電力断接手段によって上記電力の供給を断った後における、前回の最終印刷時に使用した上記印刷モードおよび印刷条件を記憶する記憶手段とを有し、
上記印刷ドラム上の同じ製版済みのマスタを用いて印刷を行う次回の印刷時に、上記前回の最終印刷時に使用した上記印刷モードおよび上記印刷条件を上記記憶手段から選択して印刷を行うことを特徴とする印刷装置。
【請求項５】
マスタを製版する製版手段を有し、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、
文字画像等に対応した製版動作および印刷動作を行う文字モード、写真画像等に対応した製版動作および印刷動作を行う写真モード、および文字・写真混合画像等に対応した製版動作および印刷動作を行う文字・写真モードのうちの少なくとも２つのモードを設定するモード設定手段と、
上記印刷ドラムに対する上記押圧手段の印圧を変化させる印圧可変手段と、
上記モード設定手段による上記写真モード設定時には上記文字・写真モード設定時よりも、該文字・写真モード設定時には上記文字モード設定時よりも、それぞれ上記印圧が低くなるように上記印圧可変手段を制御するモード別印圧制御手段と、
を有することを特徴とする印刷装置。
【請求項６】
マスタを製版する製版手段を有し、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、
文字画像等に対応した製版動作および印刷動作を行う文字モード、写真画像等に対応した製版動作および印刷動作を行う写真モード、および文字・写真混合画像等に対応した製版動作および印刷動作を行う文字・写真モードのうちの少なくとも２つのモードを設定するモード設定手段と、
上記印刷ドラムに対する上記押圧手段の印圧を変化させる印圧可変手段と、
上記モード設定手段による上記写真モード設定時には上記文字モード設定時よりも上記印圧が低くなるように上記印圧可変手段を制御するモード別印圧制御手段と、
を有することを特徴とする印刷装置。
【請求項７】
請求項５または６記載の印刷装置において、
インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、
上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする印刷装置。
【請求項８】
請求項５、６または７記載の印刷装置において、
上記製版手段は、多数の発熱素子を備えており、
インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記製版手段の発熱素子に供給する穿孔エネルギーを介して印刷画質に影響を与える穿孔エネルギー用パラメータを検出または設定する手段を少なくとも１つ有し、
上記少なくとも１つの穿孔エネルギー用パラメータを検出または設定する手段によって検出または設定された上記少なくとも１つの穿孔エネルギー用パラメータに応じて、上記発熱素子に供給する穿孔エネルギーを所定のエネルギーに調整するパラメータ別エネルギー調整手段を有することを特徴とする印刷装置。
【請求項９】
請求項５ないし８の何れか一つに記載の印刷装置において、
上記印刷装置への電力の供給を断接する電力断接手段と、
上記電力断接手段により上記電力の供給を断った後における、前回の最終印刷時に使用した上記モードおよび印刷条件を記憶する記憶手段とを有し、
上記印刷ドラム上の同じ製版済みのマスタを用いて印刷を行う次回の印刷時に、上記前回の最終印刷時に使用した上記モードおよび上記印刷条件を上記記憶手段から選択して印刷動作を行うことを特徴とする印刷装置。
【手続補正２】
【補正対象書類名】明細書
【補正対象項目名】００１０
【補正方法】変更
【補正の内容】
【００１０】
【課題を解決するための手段】
上記課題を解決すると共に上記目的を達成するために、各請求項ごとの発明では以下の特徴ある手段・構成を採っている。  
請求項１記載の発明は、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、上記印刷ドラムに対する上記押圧手段の印圧を変化させる印圧可変手段と、上記印刷モード設定手段による上記写真印刷モード設定時には上記文字・写真印刷モード設定時よりも、該文字・写真印刷モード設定時には上記文字印刷モード設定時よりも、それぞれ上記印圧が低くなるように上記印圧可変手段を制御する印刷モード別印圧制御手段とを有することを特徴とする。
請求項２記載の発明は、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、上記印刷ドラムに対する上記押圧手段の印圧を変化させる印圧可変手段と、上記印刷モード設定手段による上記写真印刷モード設定時には上記文字印刷モード設定時よりも、上記印圧が低くなるように上記印圧可変手段を制御する印刷モード別印圧制御手段とを有することを特徴とする。
【手続補正３】
【補正対象書類名】明細書
【補正対象項目名】００１１
【補正方法】変更
【補正の内容】
【００１１】
請求項３記載の発明は、請求項１または２記載の印刷装置において、インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする。
【手続補正４】
【補正対象書類名】明細書
【補正対象項目名】００１５
【補正方法】変更
【補正の内容】
【００１５】
第６の例は、「マスタ種類検出手段またはマスタ種類設定手段によって検出または設定されたマスタの種類と、印刷速度設定手段によって設定された印刷速度とに応じて」である。  
第７の例は、「マスタ種類検出手段またはマスタ種類設定手段によって検出または設定されたマスタの種類と、用紙種類検出手段または用紙種類設定手段によって検出または設定された印刷用紙の種類とに応じて」である。  
第８の例は、「マスタ種類検出手段またはマスタ種類設定手段によって検出または設定されたマスタの種類と、インキ粘度検出手段によって検出されたインキの粘度と、インキ種類検出手段またはインキ種類設定手段によって検出または設定されたインキの種類と、印刷速度設定手段によって設定された印刷速度とに応じて」である。  
第９の例は、「マスタ種類検出手段またはマスタ種類設定手段によって検出または設定されたマスタの種類と、インキ粘度検出手段によって検出されたインキの粘度と、インキ種類検出手段またはインキ種類設定手段によって検出または設定されたインキの種類と、印刷速度設定手段によって設定された印刷速度と、用紙種類検出手段または用紙種類設定手段によって検出または設定された印刷用紙の種類とに応じて」である。  
上述したことは、請求項７の「印圧用パラメータ」でも同様であり、また後述する請求項８の「穿孔エネルギー用パラメータ」についても同様に多種類の組み合わせがある。
【手続補正５】
【補正対象書類名】明細書
【補正対象項目名】００１６
【補正方法】変更
【補正の内容】
【００１６】
請求項４記載の発明は、請求項１、２または３記載の印刷装置において、上記印刷装置への電力の供給を断接する電力断接手段と、上記電力断接手段によって上記電力の供給を断った後における、前回の最終印刷時に使用した上記印刷モードおよび印刷条件を記憶する記憶手段とを有し、上記印刷ドラム上の同じ製版済みのマスタを用いて印刷を行う次回の印刷時に、上記前回の最終印刷時に使用した上記印刷モードおよび上記印刷条件を上記記憶手段から選択して印刷を行うことを特徴とする。
【手続補正６】
【補正対象書類名】明細書
【補正対象項目名】００１７
【補正方法】変更
【補正の内容】
【００１７】
請求項５記載の発明は、マスタを製版する製版手段を有し、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、文字画像等に対応した製版動作および印刷動作を行う文字モード、写真画像等に対応した製版動作および印刷動作を行う写真モード、および文字・写真混合画像等に対応した製版動作および印刷動作を行う文字・写真モードのうちの少なくとも２つのモードを設定するモード設定手段と、上記印刷ドラムに対する上記押圧手段の印圧を変化させる印圧可変手段と、上記モード設定手段による上記写真モード設定時には上記文字・写真モード設定時よりも、該文字・写真モード設定時には上記文字モード設定時よりも、それぞれ上記印圧が低くなるように上記印圧可変手段を制御するモード別印圧制御手段とを有することを特徴とする。
請求項６記載の発明は、マスタを製版する製版手段を有し、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、文字画像等に対応した製版動作および印刷動作を行う文字モード、写真画像等に対応した製版動作および印刷動作を行う写真モード、および文字・写真混合画像等に対応した製版動作および印刷動作を行う文字・写真モードのうちの少なくとも２つのモードを設定するモード設定手段と、上記印刷ドラムに対する上記押圧手段の印圧を変化させる印圧可変手段と、上記モード設定手段による上記写真モード設定時には上記文字モード設定時よりも上記印圧が低くなるように上記印圧可変手段を制御するモード別印圧制御手段とを有することを特徴とする。
【手続補正７】
【補正対象書類名】明細書
【補正対象項目名】００１８
【補正方法】変更
【補正の内容】
【００１８】
請求項７記載の発明は、請求項５または６記載の印刷装置において、インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする。
【手続補正８】
【補正対象書類名】明細書
【補正対象項目名】００１９
【補正方法】変更
【補正の内容】
【００１９】
請求項８記載の発明は、請求項５、６または７記載の印刷装置において、上記製版手段は、多数の発熱素子を備えており、インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記製版手段の発熱素子に供給する穿孔エネルギーを介して印刷画質に影響を与える穿孔エネルギー用パラメータを検出または設定する手段を少なくとも１つ有し、上記少なくとも１つの穿孔エネルギー用パラメータを検出または設定する手段によって検出または設定された上記少なくとも１つの穿孔エネルギー用パラメータに応じて、上記発熱素子に供給する穿孔エネルギーを所定のエネルギーに調整するパラメータ別エネルギー調整手段を有することを特徴とする。
【手続補正９】
【補正対象書類名】明細書
【補正対象項目名】００２０
【補正方法】変更
【補正の内容】
【００２０】
請求項９記載の発明は、請求項５ないし８の何れか一つに記載の印刷装置において、上記印刷装置への電力の供給を断接する電力断接手段と、上記電力断接手段により上記電力の供給を断った後における、前回の最終印刷時に使用した上記モードおよび印刷条件を記憶する記憶手段とを有し、上記印刷ドラム上の同じ製版済みのマスタを用いて印刷を行う次回の印刷時に、上記前回の最終印刷時に使用した上記モードおよび上記印刷条件を上記記憶手段から選択して印刷動作を行うことを特徴とする。
【手続補正１０】
【補正対象書類名】明細書
【補正対象項目名】００４６
【補正方法】変更
【補正の内容】
【００４６】
マスタ６１は、連続シート状をなし、例えば、厚さが０．５〜５μｍのポリエチレンテレフタレート（ＰＥＴ）系の熱可塑性樹脂フィルムと多孔質支持体としての和紙繊維とを接着剤で貼り合わせたものが用いられる。  
マスタ６１は、上記したものの他、例えば厚さが０．５〜３μｍの、実質的に熱可塑性樹脂フィルムのみからなるマスタや、マスタ６１の多孔質支持体の厚さを薄くしたマスタであってもよく、例えば本願出願人が提案した特開平１１−７７９４９号公報に記載されているような合成繊維ベースマスタでもよいし、また合成樹脂フィルムに溶融した樹脂を塗布して合成樹脂フィルムに樹脂膜を一体的に形成したようなマスタも使用することができる。
【手続補正１１】
【補正対象書類名】明細書
【補正対象項目名】００６３
【補正方法】変更
【補正の内容】
【００６３】
次に、図５を参照して、孔版印刷装置の主な制御構成等について説明する。  
後述する実施形態１に特有の動作、すなわち文字モードや文字・写真モードや写真モードによる動作等は、図５に示す制御装置６３によって制御される。制御装置６３は、それぞれ図示しない、ＣＰＵ（中央演算処理装置）、Ｉ／Ｏ（入出力）ポート、ＲＯＭ（読み出し専用記憶装置）、電池付きのＲＡＭ（読み書き可能な記憶装置）およびタイマ等を備え、それらが信号バスによって接続された構成を有するマイクロコンピュータを複数具備している。実施形態１の制御構成は、図５に示したように、本発明に係る製版手段としてのサーマルヘッド９１を備えた製版給版装置９０を具備するものとして、最も簡単な制御構成をなす（請求項５および９参照）。
【手続補正１２】
【補正対象書類名】明細書
【補正対象項目名】００７３
【補正方法】変更
【補正の内容】
【００７３】
図６ないし図８を参照して、文字モード、文字・写真モード、写真モードについて、補足説明する。  
図６（ａ）に示す写真１は、市松ドット（黒画像）パターンの原稿６０を原稿読取装置８０で読み取り、この市松ドットパターンの画像に基づいて製版給版装置９０でマスタ６１に製版した穿孔状態を、図６（ｂ），（ｃ）に示す写真２、写真３は、この製版済みマスタ６１を用いて上記孔版印刷装置の印圧ドラム装置１００で印刷用紙６２に印刷した印刷画像状態を、それぞれ光学顕微鏡を用いてミクロ的に観察したものである。主な印刷条件等は、下記のとおりである。  
環境温度：          実験室環境（温度２６℃、湿度５４％ＲＨ）
サーマルヘッド仕様：Ｎ８００用６００ＤＰＩ（平面型で発熱素子が矩形状）
マスタ仕様：        ポリエチレンテレフタレート（ＰＥＴ）系の熱可塑性
樹脂フィルム（厚さ２μｍ）と多孔質支持体として
厚さ約３０μｍのものを接着剤で貼り合わせたもの
インキ              Ｗ／Ｏ型エマルジョンインキ
印刷用紙            株式会社リコー製「ＰＰＣ用紙Ｔｙｐｅ６２００」
孔版印刷装置        株式会社リコー製「Ｎ８００母体実験マシン」
文字原稿のベタ部の場合には、ドットとドット間の隙間部においても印刷用紙６２上のインキ画像が埋まっていることが望ましいのに対して、写真原稿等の階調性を持たせたものの場合には、連続した独立穿孔は少なく、むしろ図６（ａ）に示す写真１のように穿孔状態としては単独ないしは少数個の集団になっている場合が多い。  
従って、モード別にいうならば、文字原稿等に対応した文字モードによる製版・印刷動作の際には、印圧は強め（高め）の方がベタの埋まり具合がよく、印刷画質的にも良好なものが得られ、逆に写真原稿等に対応した写真モードによるような階調性を持たせた製版・印刷動作の際には、印圧を弱く（低く）し、そのドットが原稿の画像を忠実に再現していた方が写真画像の印刷画質としては良好になる。  
図６（ｂ），（ｃ）に示す写真２、写真３でいうならば、文字モードの際には比較的（相対的に）印圧を強くした際の印刷画像である写真３の方が好ましく、逆に写真モードの際には比較的印圧を弱くした際の印刷画像である写真２のような印刷状態の方が望ましい。
【手続補正１３】
【補正対象書類名】明細書
【補正対象項目名】００８９
【補正方法】変更
【補正の内容】
【００８９】
すなわち、文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、印刷ドラム１０１に対するプレスローラ１０３の印圧を変化させる印圧可変手段２０と、印刷モード設定手段による写真印刷モード設定時には文字・写真印刷モード設定時よりも、文字・写真印刷モード設定時には文字印刷モード設定時よりも、それぞれ印圧が低くなるように印圧可変手段２０の印圧制御モータ１４を制御する印刷モード別印圧制御手段とを有する孔版印刷装置を含む印刷装置であってもよい（請求項１参照）。  
請求項１に係る上記印刷装置の構成に加えて、電源スイッチ５８によって上記各装置への電力の供給を断った後における、前回の最終印刷時に使用した印刷モードおよび印刷条件を記憶する記憶手段を有し、上記印刷モード別印圧制御手段は、電源スイッチ５８が押されて電力オンとなった後、印刷スタートキー４５からの印刷スタート信号に基づいて、印刷ドラム１０１の脱着有無の検知を実施して取り外し・脱着していないと判断し、印刷ドラム１０１上の同じ製版済みのマスタ６１を用いて印刷を行う次回の印刷時に、前回の最終印刷時に使用した印刷モードおよび印刷条件を上記記憶手段から選択し呼び出してそれに対応した印刷動作を行うように印圧制御モータ１４を制御すると共に、ＬＥＤ駆動回路やＬＣＤ駆動回路を制御する孔版印刷装置を含む印刷装置であってもよい（請求項４参照）。
【手続補正１４】
【補正対象書類名】明細書
【補正対象項目名】００９０
【補正方法】変更
【補正の内容】
【００９０】
上記印刷モード設定手段と、印圧可変手段２０と、上記印刷モード別印圧制御手段、上記記憶手段とを有する孔版印刷装置を含む印刷装置の適用例としては、例えば、本願出願人が提案した特開２０００−２６３９０６号公報記載の複胴式印刷装置や、特開２００１−２３９７３６号公報記載の版付け装置におけるような印刷システムを構成しているものに適用可能である。以下、上記した請求項１および４に係る孔版印刷装置を含む印刷装置の実施形態を便宜的に実施形態２という。
【手続補正１５】
【補正対象書類名】明細書
【補正対象項目名】０１４２
【補正方法】変更
【補正の内容】
【０１４２】
上述した変形例１ないし４では、モード別印圧制御手段６４によって、写真モード設定キー３３による写真モード設定時には文字・写真モード設定時よりも、文字・写真モード設定キー３２による文字・写真モード設定時には文字モード設定キー３１で設定された文字モード設定時よりも、それぞれ印圧が低くなるように印圧可変手段２０の印圧制御モータ１４をいわば大まかに制御すると共に、加えて印刷画像の最適化を行うべく、印圧用パラメータ別印圧制御手段６６Ａ〜６６Ｄによって各種印圧用パラメータを加味することによって印圧を所定の印圧となるようにより木目細かく印圧可変手段２０の印圧制御モータ１４を制御するものであった。  
上述した印圧用パラメータ別印圧制御手段６６Ａ〜６６Ｄによるような木目の細かい印圧制御をそれ程望まなくてもよいのであれば、例えば変形例１ないし４の制御構成要素を適宜除去して、これらを組み合わせたものからなる印圧用パラメータを用いた制御構成であってもよい。すなわち、インキ粘度検出装置７６、環境温度検出センサ７７およびインキ温度検出センサ７８の何れか１つ、インキ種類検出手段１３５およびインキ種類設定キー３５の何れか１つ、印刷速度センサ１６４、用紙種類検出手段１４７および用紙種類設定キー４０の何れか１つ、マスタ種類検出手段１４７およびマスタ種類設定キー３７の何れか１つの、印圧を介して印刷画質に影響を与える印圧用パラメータを検出または設定する手段を少なくとも１つ有し、少なくとも１つの印圧用パラメータを検出または設定する手段によって、検出または設定された少なくとも１つの印圧用パラメータに応じて、印圧が所定の印圧になるように印圧可変手段２０を制御する印圧用パラメータ別印圧制御手段を有するものであってもよい（請求項７参照）。
【手続補正１６】
【補正対象書類名】明細書
【補正対象項目名】０１４３
【補正方法】変更
【補正の内容】
【０１４３】
ちなみに、上述した印圧用パラメータ別印圧制御手段に関して、例えばサプライに関する印圧用パラメータ、すなわちインキ種類、マスタ種類および用紙種類に係る印圧用パラメータの何れか１つのみを有する最も簡素な制御構成例を挙げれば次のとおりである。  
第１の例示としては、インキ種類検出手段１３５およびインキ種類設定キー３５の何れか１つの印圧用パラメータを有し、インキ種類検出手段１３５およびインキ種類設定キー３５の何れか１つにより検出または設定されたインキ種類（印圧用パラメータ）に応じて、印圧が所定の印圧になるように印圧可変手段２０を制御する印圧用パラメータ別印圧制御手段を有するものである。  
第２の例示としては、用紙種類検出手段１４７および用紙種類設定キー４０の何れか１つの印圧用パラメータを有し、用紙種類検出手段１４７および用紙種類設定キー４０の何れか１つにより検出または設定された用紙種類（印圧用パラメータ）に応じて、印圧が所定の印圧になるように印圧可変手段２０を制御する印圧用パラメータ別印圧制御手段を有するものである。  
第３の例示としては、マスタ種類検出手段１４７およびマスタ種類設定キー３７の何れか１つの印圧用パラメータを有し、マスタ種類検出手段１４７およびマスタ種類設定キー３７の何れか１つにより検出または設定されたマスタ種類（印圧用パラメータ）に応じて、印圧が所定の印圧になるように印圧可変手段２０を制御する印圧用パラメータ別印圧制御手段を有するものである。  
上述したように各種印圧用パラメータの組み合わせを考えると、多数の組み合わせがあるため請求項７のような総括的な表現とした。
【手続補正１７】
【補正対象書類名】明細書
【補正対象項目名】０１４４
【補正方法】変更
【補正の内容】
【０１４４】
変形例１ないし４においては、製版給版装置９０を構成している製版手段としてのサーマルヘッド９１を除去した構成であってもよいし、あるいは製版給版装置９０自体を除去した構成であってもよい。さらには、サーマルヘッド９１および記憶手段６５を除去した構成であってもよいし、あるいは製版給版装置９０自体および記憶手段６５を除去した構成であってもよい。  
変形例１ないし４の何れか１つの構成からサーマルヘッド９１を除去した構成例としては、例えば予め製版されたマスタ６１を巻いて形成したマスタロールから製版済みのマスタ６１を繰り出し、これを給版手段を構成するプラテンローラ９２、送りローラ対９３ａ，９３ｂおよび給版ローラ対９４ａ，９４ｂによって印刷ドラム１０１に給版し巻装した後、上記各モードと類似する後述する各印刷モードによる印圧可変制御を伴う印刷動作を実行させる印刷モード別印圧制御手段と、各印刷モードを設定するための印刷モード設定手段と、インキ粘度検出装置７６、環境温度検出センサ７７およびインキ温度検出センサ７８の何れか１つ、インキ種類検出手段１３５およびインキ種類設定キー３５の何れか１つ、印刷速度センサ１６４、用紙種類検出手段１４７および用紙種類設定キー４０の何れか１つ、マスタ種類検出手段１４７およびマスタ種類設定キー３７の何れか１つの、印圧を介して印刷画質に影響を与える印圧用パラメータを検出または設定する手段を少なくとも１つ有し、少なくとも１つの印圧用パラメータを検出または設定する手段によって検出または設定された少なくとも１つの印圧用パラメータに応じて、印圧が所定の印圧になるように印圧可変手段２０を制御する印圧用パラメータ別印圧制御手段を有するものであってもよい（請求項３参照）。
【手続補正１８】
【補正対象書類名】明細書
【補正対象項目名】０１４５
【補正方法】変更
【補正の内容】
【０１４５】
請求項３に係る上記構成に加えて、電源スイッチ５８によって上記各装置への電力の供給を断った後における、前回の最終印刷時に使用した印刷モードおよび印刷条件を記憶する記憶手段を有し、印刷モード別印圧制御手段は、電源スイッチ５８が押されて電力オンとなった後、印刷スタートキー４５からの印刷スタート信号に基づいて印刷ドラム１０１の脱着有無の検知を実施して取り外し・脱着していないと判断し、印刷ドラム１０１上の同じ製版済みのマスタ６１を用いて印刷を行う次回の印刷時に、前回の最終印刷時に使用した印刷モード、各種印圧用パラメータに係る印刷条件および表示内容を記憶手段から選択し呼び出してそれに対応した印刷動作を行うように印圧制御モータ１４を制御すると共に、ＬＥＤ駆動回路あるいはＬＣＤ駆動回路を制御する孔版印刷装置を含む印刷装置であってもよい（請求項４参照）。
【手続補正１９】
【補正対象書類名】明細書
【補正対象項目名】０１７５
【補正方法】変更
【補正の内容】
【０１７５】
上述したパラメータ別エネルギー調整手段６７Ｅ〜６６Ｈによるような木目の細かい穿孔エネルギー調整をそれ程望まなくてもよいのであれば、例えば変形例５ないし８の制御構成要素を適宜除去して、これらを組み合わせたものからなる穿孔エネルギー用パラメータを用いた制御構成であってもよい。すなわち、インキ粘度検出装置７６、環境温度検出センサ７７およびインキ温度検出センサ７８の何れか１つ、インキ種類検出手段１３５およびインキ種類設定キー３５の何れか１つ、印刷速度センサ１６４、用紙種類検出手段１４７および用紙種類設定キー４０の何れか１つ、マスタ種類検出手段１４７およびマスタ種類設定キー３７の何れか１つの、サーマルヘッド９１の個々の発熱素子９１ａに供給する穿孔エネルギーを介して印刷画質に影響を与える穿孔エネルギー用パラメータを検出または設定する手段を少なくとも１つ有し、少なくとも１つの穿孔エネルギー用パラメータを検出または設定する手段によって検出または設定された少なくとも１つの穿孔エネルギー用パラメータに応じて、サーマルヘッド９１の個々の発熱素子９１ａに供給する穿孔エネルギーを所定のエネルギーに調整するパラメータ別エネルギー調整手段を有するものであってもよい（請求項８参照）。
【手続補正２０】
【補正対象書類名】明細書
【補正対象項目名】０１７６
【補正方法】変更
【補正の内容】
【０１７６】
ちなみに、上述したパラメータ別エネルギー調整手段に関して、例えばサプライに関する穿孔エネルギー用パラメータ、すなわちインキ種類、マスタ種類および用紙種類に係る穿孔エネルギー用パラメータの何れか１つのみを有する最も簡素な制御構成例を挙げれば次のとおりである。  
第１の例示としては、インキ種類検出手段１３５およびインキ種類設定キー３５の何れか１つの穿孔エネルギー用パラメータを有し、インキ種類検出手段１３５およびインキ種類設定キー３５の何れか１つにより検出または設定されたインキ種類（穿孔エネルギー用パラメータ）に応じて、サーマルヘッド９１の個々の発熱素子９１ａに供給する穿孔エネルギーを所定のエネルギーに調整するパラメータ別エネルギー調整手段を有するものである。  
第２の例示としては、用紙種類検出手段１４７および用紙種類設定キー４０の何れか１つの穿孔エネルギー用パラメータを有し、用紙種類検出手段１４７および用紙種類設定キー４０の何れか１つにより検出または設定された用紙種類（穿孔エネルギー用パラメータ）に応じて、サーマルヘッド９１の個々の発熱素子９１ａに供給する穿孔エネルギーを所定のエネルギーに調整するパラメータ別エネルギー調整手段を有するものである。  
第３の例示としては、マスタ種類検出手段１４７およびマスタ種類設定キー３７の何れか１つの穿孔エネルギー用パラメータを有し、マスタ種類検出手段１４７およびマスタ種類設定キー３７の何れか１つにより検出または設定されたマスタ種類（穿孔エネルギー用パラメータ）に応じて、サーマルヘッド９１の個々の発熱素子９１ａに供給する穿孔エネルギーを所定のエネルギーに調整するパラメータ別エネルギー調整手段を有するものである。  
上述したように各種穿孔エネルギー用パラメータの組み合わせを考えると、多数の組み合わせがあるため請求項８のような総括的な表現とした。
【手続補正２１】
【補正対象書類名】明細書
【補正対象項目名】０１７８
【補正方法】変更
【補正の内容】
【０１７８】
【発明の効果】
以上述べたように、本発明によれば、上述したような従来装置の有する諸問題点を解決して新規な印刷装置を提供することができる。請求項ごとの効果を挙げれば次のとおりである。  
請求項１記載の発明によれば、印刷モード別印圧制御手段によって、印刷モード設定手段による写真印刷モード設定時には文字・写真印刷モード設定時よりも、文字・写真印刷モード設定時には文字印刷モード設定時よりもそれぞれ印圧が低くなるように印圧可変手段が制御されるので、各印刷モードに応じて印刷すべき画像に忠実で良好な印刷画質の印刷物を得ることができる。  
請求項２記載の発明によれば、印刷モード別印圧制御手段によって、印刷モード設定手段による写真印刷モード設定時には文字印刷モード設定時よりも印圧が低くなるように印圧可変手段が制御されるので、各印刷モードに応じて印刷すべき画像に忠実で良好な印刷画質の印刷物を得ることができる。
【手続補正２２】
【補正対象書類名】明細書
【補正対象項目名】０１７９
【補正方法】変更
【補正の内容】
【０１７９】
請求項３記載の発明によれば、印圧用パラメータ別印圧制御手段によって、少なくとも１つの印圧用パラメータを検出または設定する手段によって検出または設定された少なくとも１つの印圧用パラメータに応じて、印圧が所定の印圧になるように印圧可変手段が制御されるので、環境変動や印刷条件の変化に拘わらず、各印刷モードに応じて請求項１または２記載の発明よりもさらに印刷すべき画像に忠実で良好な印刷画質の印刷物を得ることができる。
【手続補正２３】
【補正対象書類名】明細書
【補正対象項目名】０１８０
【補正方法】変更
【補正の内容】
【０１８０】
請求項４記載の発明によれば、印刷ドラム上の同じ製版済みのマスタを用いて印刷を行う次回の印刷時に、前回の最終印刷時に使用した印刷モードおよび印刷条件を記憶手段から選択して印刷を行えることにより、請求項１、２または３記載の発明の効果に加えて、一々同様の印刷モードおよび同様の印刷条件を設定する必要性がなくなるので、操作性が向上する。
【手続補正２４】
【補正対象書類名】明細書
【補正対象項目名】０１８１
【補正方法】変更
【補正の内容】
【０１８１】
請求項５記載の発明によれば、モード別印圧制御手段によって、モード設定手段による写真モード設定時には文字・写真モード設定時よりも、文字・写真モード設定時には文字モード設定時よりも、それぞれ印圧が低くなるように印圧可変手段が制御されるので、各モードに応じて印刷すべき画像に忠実で良好な印刷画質の印刷物を得ることができる。
請求項６記載の発明によれば、モード別印圧制御手段によって、モード設定手段による写真モード設定時には文字モード設定時よりも印圧が低くなるように印圧可変手段が制御されるので、各モードに応じて印刷すべき画像に忠実で良好な印刷画質の印刷物を得ることができる。
【手続補正２５】
【補正対象書類名】明細書
【補正対象項目名】０１８２
【補正方法】変更
【補正の内容】
【０１８２】
請求項７記載の発明によれば、印圧用パラメータ別印圧制御手段によって、少なくとも１つの印圧用パラメータを検出または設定する手段によって検出または設定された少なくとも１つの印圧用パラメータに応じて、印圧が所定の印圧になるように印圧可変手段が制御されるので、環境変動や印刷条件の変化に拘わらず、各モードに応じて請求項５または６記載の発明よりもさらに印刷すべき画像に忠実で良好な印刷画質の印刷物を得ることができる。
【手続補正２６】
【補正対象書類名】明細書
【補正対象項目名】０１８３
【補正方法】変更
【補正の内容】
【０１８３】
請求項８記載の発明によれば、パラメータ別エネルギー調整手段によって、少なくとも１つの穿孔エネルギー用パラメータを検出または設定する手段により検出または設定された少なくとも１つの穿孔エネルギー用パラメータに応じて、製版手段の発熱素子に供給する穿孔エネルギーが所定のエネルギーに調整されるので、環境変動や印刷条件の変化に拘わらず、各モードに応じて請求項５、６または７記載の発明よりもさらに印刷すべき画像に忠実で良好な印刷画質の印刷物を得ることができる。
【手続補正２７】
【補正対象書類名】明細書
【補正対象項目名】０１８４
【補正方法】変更
【補正の内容】
【０１８４】
請求項９記載の発明によれば、印刷ドラム上の同じ製版済みのマスタを用いて印刷を行う次回の印刷時に、前回の最終印刷時に使用したモードおよび印刷条件を記憶手段から選択して印刷動作を行えることにより、請求項５、６、７または８記載の発明の効果に加えて、一々同様のモードおよび同様の印刷条件を設定する必要性がなくなるので、操作性が向上する。